(57)【要約】      （修正有）【課題】大量の袋体を短時間に効率よく封鎖する袋体の開口部の咬合具を封鎖する封鎖装置を提供する。【解決手段】袋体を送る送り台部１０のベルトコンベアー１１と、該送り台部のベルトコンベヤーの進行方向に沿って該送り台部の一側辺に送り壁部２０を有し、縦状に袋体を送る送り壁部のベルトコンベヤー２１を有する。送り壁部方向に向かって傾斜した胴部用導通板３と上部用導通板４を有し、送り台部のベルトコンベヤーの上部空間に形成する。送られた袋体を送り壁部のベルトコンベアーに沿って挟み込む一対のローラ５０からなる封鎖用ローラ５を有し、袋体の開口部を上部として起立させて送り台部のベルトコンベアーで送り、胴部用導通板と上部用導通板とで送り壁部に近付け、封鎖用ローラで袋体の開口部の咬合具を封鎖する。【選択図】図１
0003227493.tif 000002
【実用新案登録請求の範囲】
【請求項１】
袋体を送る送り台部１０のベルトコンベアー１１と、
該送り台部１０のベルトコンベヤー１１の送り方向である進行方向に沿って該送り台部１０の一側辺に送り壁部２０を有すると共に、該送り壁部２０には縦状に袋体を送る送り壁部２０のベルトコンベヤー２１を有し、
送り壁部２０方向に向かって傾斜して形成した胴部用導通板３と上部用導通板４とを有しており、
該胴部用導通板３と上部用導通板４とは、送り台部１０のベルトコンベヤー１１の上部空間に形成し、
ベルトコンベヤー１１、２１で送られた袋体を送り壁部２０のベルトコンベアー２１に沿って挟み込む一対のローラ５０からなる封鎖用ローラ５を有し、
収納物を収納した開口を有する袋体の開口部を上部として起立状態で送り台部１０のベルトコンベアー１１で送り、
この袋体を胴部用導通板３と上部用導通板４とにより送り壁部２０に近付け、
送り壁部２０のベルトコンベアー２１に沿って送られた袋体の開口部を封鎖用ローラ５によって封鎖する袋体の開口部の咬合具を封鎖する封鎖装置。
【請求項２】
送り台部１０のベルトコンベヤー１１には送り壁部２０の反対側の側部に傾斜台６を有し、
送り台部１０のベルトコンベヤー１１の一側部をもち上げて傾斜したベルトコンベヤー面を有するベルトコンベヤー１１であることを特徴とする請求項１に記載の袋体の開口部の咬合具を封鎖する封鎖装置。
【請求項３】
送り台部１０のベルトコンベヤー１１と、縦状の送り壁部２０のベルトコンベヤー２１と、封鎖用ローラ５とはそれぞれ袋体の送り速度が同じであることを特徴とする請求項１又は２のいずれかに記載の袋体の開口部の咬合具を封鎖する封鎖装置。
【考案の詳細な説明】
【技術分野】
【０００１】
本考案は、咬合具を開口部に有する袋体の封鎖装置であって、樹脂性等のフィルムにより構成される上部開口の袋体内に品物を封入し、この袋体の開口部の咬合具を封鎖する封鎖装置に関する。
【背景技術】
【０００２】
樹脂性等のフィルムの袋体の開口部内に商品を封入し、この開口部を封鎖することにより商品を封入した袋体を取引に用いることは多種の場面で用いられているものである。
特に袋体内の開口部から袋体に商品を入れた状態で簡単に封鎖でき、更に必要に応じて開口することのできる咬合具を有する袋体は多用されているものである。
この咬合具は袋体の内面の一面にその開口部に沿って凸状部を有するものであり、他方該内面と対面している他の一面の内面にその開口部に沿って凹状部を有し、この凸状部を凹状部で咬合することによって封鎖する咬合具であり、この様な咬合具を有する開閉自在の袋体は多く用いられている。
【０００３】
例えば特開平９−３０９５４６号（特許文献１）に示す袋体や特開平１０−２５０７４６号（特許文献２）に示す袋等が存在する。
この場合、この咬合具を閉じるための封鎖具としては手で１つずつ封鎖する作業を行うことが最も多い。
又、予め袋体ごとにスライダーを構成して、このスライダーを用いて封鎖し又開口にすることのできる袋体も存在する。
【０００４】
例えば特開２０１０−９５２９２号（特許文献３）に示すスライダーや特開２０１１−１１５３８３号（特許文献４）に示す収納袋等が存在する。
更に特許文献１や特許文献２に示す袋体の咬合具を１つずつ封鎖するための封鎖具としては特開２０１４−７９３２１号（特許文献５）や特開平１１‐２９２０３７号（特許文献６）、或いは特開平７−３０１２１３号（特許文献７）に示す封鎖具も存在する。
【先行技術文献】
【特許文献】
【０００５】
【特許文献１】特開平９−３０９５４６号
【特許文献２】特開平１０‐２５０７４６号
【特許文献３】特開２０１０−９５２９２号
【特許文献４】特開２０１１−１１５３８３号
【特許文献５】特開２０１４−７９３２１号
【特許文献６】特開平１１‐２９２０３７号
【特許文献７】特開平７−３０１２１３号
【考案の概要】
【考案が解決しようとする課題】
【０００６】
以上の様に、商品を袋体内に収納して販売等の取引を行うための袋体自体に開閉可能な袋体を用いるため咬合具を有する袋体は多用されている。
この場合、従来特許文献１や特許文面２に示す袋内に商品を収納し、この袋体の開口部の咬合具を手で一つずつかみ合わせて閉じることにより封鎖する作業を行い、袋体内に商品を袋詰めるものである。
従って少量でよければこの封鎖作業は手作業で足りるものであるが数量が増えると手で封鎖する方法は極めて手間がかかるばかりか、咬合具の閉鎖は手への負担が極めて大きく、量が増える場合には対処できないものであった。
【０００７】
これに対して特許文献５、特許文献６、特許文献７に示す袋体の咬合具を手作業で封鎖するための封鎖具も存在する。
しかし、この封鎖具を用いても大量の袋体への商品の封入と袋体の開口部の咬合具の封鎖をおこなうことは極めて手間がかかるものであり、大量の袋体に対する咬合具の封鎖を大人数の作業者を必要とするものであり、極めて手間のかかるものとなっている。
【０００８】
特許文献３や特許文献４に示すようなスライダーを有する袋体を場合であっても、封鎖の便意は図れるが、大量の袋体に対する咬合具の封鎖に前記と同様に大人数の作業者を必要とするものであり、極めて手間のかかるものである。
特にスライダー付きの袋体を用いると袋体自体の単価がより高額となり、大量の一般的な商品の袋体への袋詰めには用いにくいものとなる。
【０００９】
従って、大量の商品について咬合具を有する袋体内に収納した上で、この大量の袋体の開口部の咬合具を咬合により封鎖する封鎖装置が要望される。
特に大量の袋体を短時間に効率よく封鎖できる袋体の開口部の咬合具を封鎖する封鎖装置の提供が望まれている。
【課題を解決するための手段】
【００１０】
係るため請求項１記載の考案は、袋体の開口部の咬合具を封鎖する封鎖装置であって、袋体を送る送り台部のベルトコンベアーと、該送り台部のベルトコンベヤーの送り方向である進行方向に沿って該送り台部の一側辺に送り壁部を有すると共に、該送り壁部には縦状に袋体を送る送り壁部のベルトコンベヤーを有し、送り壁部方向に向かって傾斜して形成した胴部用導通板と上部用導通板とを有しており、該胴部用導通板と上部用導通板とは、送り台部のベルトコンベヤーの上部空間に形成し、ベルトコンベヤーで送られた袋体を送り壁部のベルトコンベアーに沿って挟み込む一対のローラからなる封鎖用ローラを有し、収納物を収納した開口を有する袋体の開口部を上部として起立状態で送り台部のベルトコンベアーで送り、この袋体を胴部用導通板と上部用導通板とにより送り壁部に近付け、送り壁部のベルトコンベアーに沿って送られた袋体の開口部を封鎖用ローラによって封鎖する袋体の開口部の咬合具を封鎖する封鎖装置からなる。
係る考案によって前記課題を解決できる。
次に、請求項２に係る考案は送り台部のベルトコンベヤーには送り壁部の反対側の側部に傾斜台を有し、送り台部のベルトコンベヤーの一側部をもち上げて傾斜したベルトコンベヤー面を有するベルトコンベヤーである袋体の開口部の咬合具を封鎖する封鎖装置からなり、係る構成の考案を用いてもよい。
更に請求項３に係る考案は、送り台部のベルトコンベヤーと、縦状の送り壁部のベルトコンベヤーと、封鎖用ローラとはそれぞれ袋体の送り速度が同じである袋体の開口部の咬合具を封鎖する封鎖装置であって、係る構成を有するものであってもよい。
【考案の効果】
【００１１】
以上のように構成したことから、請求項１に係る考案により収納物を収納した袋体であって開口した咬合具を有する袋体を順次送って封鎖用ローラで咬合具を封鎖できるものであり、手作業によらずに該装置によって大量の袋体の開口部の咬合具の封鎖を行える。
特に袋体の咬合具の封鎖に際して封鎖用ローラまで袋体を導くことができ、又封鎖用ローラで確実に袋体の開口部の咬合具の封鎖が行えるものである。
【００１２】
更に封鎖用ローラは送り壁部のベルトコンベヤーを挟んで配設する一対のローラにより構成しており、送り壁部方向に導かれた袋体をこの送り壁部を挟んで配設した一対のローラの袋体を挟み込むことができ、袋体を適切に封鎖用ローラではさみこんで開口部の咬合具を封鎖できるものとなる。
【００１３】
次に、請求項２に係る考案により、傾斜台で送り台上のベルトコンベヤーを傾斜させることができ、送り段階でこの傾斜によって送り壁部方向に袋体を移動させることができる。
又請求項３に係る考案により、袋体を送るそれぞれの送り台部のベルトコンベヤーと、送り壁部のベルトコンベヤーと、封鎖用ローラとが同速で袋体を送るものとなり、袋体を所定の方向に効率よく導くことができるものである。
【図面の簡単な説明】
【００１４】
【図１】本考案に係る袋体の開口部の咬合具を封鎖する封鎖装置の一例を示す図
【図２】図１に示す本考案に係る袋体の開口部の咬合具を封鎖する封鎖装置を上部から視認した状態の一例を示す図
【図３】本考案に係る袋体の開口部の咬合具を封鎖する封鎖装置に送られる袋体を置いた状態の一例を示す図
【図４】図３に示す本考案に係る袋体の開口部の咬合具を封鎖する封鎖装置に送られる袋体を置いて上部から視認した状態の一例を示す図
【図５】本考案に係る袋体の開口部の咬合具を封鎖する封鎖装置に送られる袋体を置いた状態の一例を示す図
【図６】図５に示す本考案に係る袋体の開口部の咬合具を封鎖する封鎖装置に送られる袋体を置いて上部から視認した状態の一例を示す図
【図７】本考案に係る袋体の開口部の咬合具を封鎖する封鎖装置に送られる袋体を置いて上部から視認した状態の一例を示す図
【図８】本考案に係る袋体の開口部の咬合具を封鎖する封鎖装置に送られる袋体を置いた状態の一例を示す図
【図９】図８に示す本考案に係る袋体の開口部の咬合具を封鎖する封鎖装置に送られる袋体を置いて上部から視認した状態の一例を示す図
【図１０】本鼓案に係る袋体の開口部の咬合具を封鎖する封鎖装置の可動状態の一例を示す図
【図１１】図１０に示す本考案に係る袋体の開口部の咬合具を封鎖する封鎖装置の可動状態を上部から視認した一例を示す図
【考案を実施するための形態】
【００１５】
図１は、本発明に係る袋体の開口部の咬合具を封鎖する封鎖装置の一例を示す図である。
本図に示すように送り台部１０を有しており、例えばベルトコンベヤー１１によってこの上に収納物を収納し、開口している袋の開口部を上部として起立状態で置いた場合にはこのベルトコンベヤー１１の移動によって送り方向に移動するものである。
この送り台部１０のベルトコンベヤー１１はローラ等の回転によって移動するものであり、この送り台部上１０の袋体はこのベルトコンベヤー１１によって送られるものである。
【００１６】
更にこの該送り台部１０のベルトコンベヤー１１の送り方向である進行方向に沿って該送り台部の奥側に送り壁部２０を有している。
この送り壁部２０は縦状にベルトコンベヤー２１を形成しており、ローラ２２によってベルトコンベヤー２１は可動するものである。
従って壁方向であってもこの送り壁部２０に接すると、この送り壁部２０のベルトコンベヤー２１によっても袋体Ａが送られるものである。
この場合送り台部１０のベルトコンベヤー１１と送り壁部２０のベルトコンベヤー２１とは同速で送られているものである。
【００１７】
更に、送り台部１０で送られた袋体Ａは開口部を上部として起立状態で胴部用導通板３と上部用導通板４とにより袋体Ａが送り壁部２０方向に導かれるものとなる。
そして、胴部用導通板３と上部用導通板４の端部で送り壁部２０方向に導かれ、係る位置で更に封鎖用ローラ５に繋がっているものである。
これにより送り台部１０上に載置された開口の袋体Ａはこの送り台部１０のベルトコンベヤー１１によって送られ、更に胴部用導通板３と上部用導通板４によって袋体Ａは送り壁部２０方向に導かれる。
更にこの袋体Ａは送り壁部２０のベルトコンベヤー２１によっても送られるものであり、この送り壁部２０のベルトコンベヤー２１に沿って挟み込む一対のローラからなる封鎖用ローラ５を有するものであって、袋体Ａの上部の咬合部はこの封鎖用ローラ５によって挟み込まれた状態で送られるものとなる。
即ち袋体Ａは開口部を上部として起立状態で送られ、袋体Ａの上部の咬合部はこの封鎖用ローラ５によって挟み込まれるものである。
従ってこの封鎖用ローラ５の一対のローラ５０によって挟まれて送られるものとなり、圧着状態で送られるものである。
従ってこの封鎖用ローラ５を咬合部が通過することによってこの一対のローラ５０に挟まれた状態で送られることから咬合部の封鎖がなされるものである。
即ち袋体Ａの内面の一面にその開口部に沿って凸状部を有し、他方該内面と対面している他の一面の内面にも開口部に沿って凹状部を有しており、この凸状部を凹状部で咬合することによって封鎖する咬合具であることから、この両者を圧着することにより凹部間に凸部が挟み込まれることにより封鎖するものであり、この封鎖用ローラ５に挟み込んで送ることによって咬合具の封鎖がなされるものである。
【００１８】
更に本図に示すように送り台部１０のベルトコンベヤー１１は胴部用導通板３の近傍に傾斜台６を有しており、この傾斜台６は送り壁部２０の反対側の側部に有しているものであり、凡そ送り方向に沿って胴部用導通板３の近傍から封鎖用ローラ５の先の位置迄形成されている。
この傾斜台６によって送り台部１０のベルトコンベヤー１１は送り壁部２０の反対側の側部が持ち上がった状態となることから送り壁部２０方向に傾斜した状態で袋体Ａが送り台部１０のベルトコンベヤー１１上を送られるものとなる。
従って袋体Ａは、起立状態で送り壁部２０のベルトコンベヤー２１側に傾斜し、更に起立状態で送られる袋体Ａは、胴部用導通板３と上部用導通板４によって送り壁部２０方向に移動するものとなり、少なくとも封鎖用ローラ５の位置では袋体Ａは送り壁部２０に接するような状態で送られるものであり、袋体Ａの上部に設けている咬合部を容易に封鎖用ローラ５に挟み込むことができる。
従ってこの挟んだ状態で袋体Ａの咬合部を送りこむとこの咬合部の袋体Ａの一面の凸状部と他面の凹状部とが咬合して袋体Ａの開口部の封鎖を行えるものである。
【００１９】
この場合送り台部１０のベルトコンベヤー１１によって袋体Ａが送られて袋体Ａの開口部の封鎖ができることとなるものであり、この送り台部１０上に順次商品等の内容物を入れた状態で開口した袋体Ａを順次送りこむことにより、送られた袋体Ａは順次封鎖できるものである。
従って、送りの速度で袋体の封鎖ができるものであり、多数の袋体の封鎖を容易かつスピーディに行えるものである。
【００２０】
図２は、図１に示す本考案に係る袋体の開口部の咬合具を封鎖する封鎖装置の一例を上部から視認した図である。
まず土台上に送り台部１０を有しており、この送り台部１０はベルトコンベヤー１１によって袋体Ａを順次送るものである。
この送り台部１０の奥方向の側部には送り壁部２０を有しており、ローラ２２によってベルトコンベヤー２１が可動するものである。
送り台部１０上の任意位置に胴部用導通板３と上部用導通板４とを有しており、送られた袋体Ａを徐々に送り壁部２０方向に導くために両者ともに送り壁部２０方向に傾斜して形成されている。
【００２１】
この胴部用導通板３と上部用導通板４とは本封鎖装置の送り台部１０の台上から連設部によって連設されている。
更に胴部用導通板３と上部用導通板４の送り方向の終端部には封鎖用ローラ５が形成されており、一対のローラ５０によって送り方向に挟まれて送られるものである。
尚、本図では明示されていないが、送り台部１０のベルトコンベヤー１１の送り壁部２０と反対方向の側部には傾斜台６を有している。
従って袋体Ａを送り壁部２０のベルトコンベヤー２１側に傾斜させて、一対のローラ５０の封鎖用ローラ５に挟み込みやすくできる。
【００２２】
図３は、本考案に係る袋体の開口部の咬合具を封鎖する封鎖装置の一例の送り台部１０のベルトコンベヤー１１上に開口された袋体Ａが載置されている一例を示す図である。  本図のように袋体Ａ内に商品である内容物を入れた状態の開口した袋体Ａを開口部を上部として起立させた状態で送り台部１０のベルトコンベヤー１１上に置く。
この袋体Ａはベルトコンベヤー１１によって送り方向に送られるものである。
【００２３】
図４は、送り台部１０のベルトコンベヤー１１上に開口された袋体Ａが載置されている状態を示す図である。
本図に示す様に、このベルトコンベアー１１の中央部に袋体Ａが置かれている。
尚、本図では説明のためにベルトコンベヤー１１上の袋体Ａは１つを示すがこのベルトコンベヤー１１上に順次袋体Ａを置くものでよく、ベルトコンベヤー１１の送りに従って順次袋体Ａが送られるものである。
【００２４】
図５は、更に袋体Ａが送られた状態の一例であり、送り台部１０上の傾斜台６によってベルトコンベヤー１１の送り壁部２０の反対側の側辺部分が持ち上がっており、送り壁部２０方向に傾斜した状態のベルトコンベヤー１１上に袋体Ａがおかれた状態で送られているものである。
従って送り台部１０のベルトコンベヤー１１の一側部をもち上げて傾斜したベルトコンベヤー面を有するベルトコンベヤーとなる。
これにより送られる袋体Ａはこの傾斜によって徐々に送り壁部２０方向にずれやすくなって送られるものであり、徐々に送り壁部２０方向にずれて送られるものとなる。
【００２５】
図６は、図５に示す本考案に係る袋体の開口部の咬合具を封鎖する封鎖装置に送られる袋体Ａを置いた状態を上部から視認した図である。
本図に示す通り、送られる袋体Ａは胴部用導通板３によって送り壁部２０方向に導かれて送られるものであり、送り壁部２０方向に例えば上部が斜めに倒れかかった傾斜した状態等ともなりうる。
【００２６】
特に傾斜台６によって送り台部１０のベルトコンベアー１１の送り壁部２０の反対側の側辺部分を持ち上げることにより、送り壁部２０方向に傾斜して送ることができることから、このベルトコンベヤー１１上の袋体Ａも同様に送り壁部２０方向に傾斜した状態で送られるものとなる。
従って袋体Ａの上部は送り壁部２０方向に近づいていることから胴部用導通板３によって袋体Ａを送り壁部２０方向に導いて送ることができる。
【００２７】
図７は、更に袋体Ａが送られた状態であって本考案に係る袋体の開口部の咬合具を封鎖する封鎖装置に送られる袋体Ａを置いた状態を上部から視認した図である。
本図に示す通り、胴部用導通板３は送り壁部２０方向に傾斜して形成されており、徐々に送り壁２０方向に近づいて送ることができる。
この様に胴部用導通板３を送り壁部２０方向に傾斜して形成していることから袋体Ａを徐々に送り壁部２０方向に導くことができる。
【００２８】
図８も本考案に係る袋体の開口部の咬合具を封鎖する封鎖装置の一例の送り台部１０のベルトコンベヤー１１上に開口された袋体Ａを載置してベルトコンベヤー１１上を送っている状態の一例を示す図である。
図５に示す送り状態から更に袋体Ａが送られた状態であり、図６及び図７に示す袋体Ａの送り状態から更に袋体Ａが送られ胴部用導通板３と上部用導通板４とによって袋体が送り壁部２０に沿って送られている状態を示す。
【００２９】
上部用導通板４は、徐々に送り壁部２０方向に導くために送り壁部２０方向に傾斜して形成されている。
従って送られる袋体は上部用導通板４の終端では送り壁部２０のベルトコンベヤー２１に接する状態で袋体Ａを封鎖用ローラ５に送ることができる。
この状態で袋体Ａの開口部の咬合部がある袋体上部は、更に続く一対のローラ５０によって形成されている封鎖用ローラ５に送られる。
この封鎖用ローラ５は一対のローラ５０がそれぞれのローラ５０の面を略接するように近似又は接して配置しており、それぞれのローラ５０は回転しており、この一対のローラ５０間に挟まれる袋体Ａを送り方向に送るものである。
【００３０】
従って袋体Ａは、ローラ５０が挟まれた状態で順次回転することによって挟まれた状態で送り方向に送られる。
この封鎖用ローラ５によって挟まれた状態で袋体Ａを送ることにより、袋体Ａのこのローラ５０に挟まれた個所は、順次ローラ５０によって袋体の表裏面が圧着されるものとなる。
特にこの封鎖用ローラ５は袋体Ａの上部であって袋体Ａの開口部の周囲を圧着するものであり、袋体Ａの開口部の封鎖のための咬合部の設置位置を順次圧着するものとなる。
【００３１】
更にこの封鎖用ローラ５は袋体Ａの下部に迄は及んでおらず、袋体Ａ内に収納している収納物には何ら影響を与えるものではないことから、開口部の封鎖のための袋体Ａの咬合部を圧着して封鎖するものであり、袋体Ａ内に内容物が収納されている状態でも封鎖が可能である。
従って少なくとも送られる袋体Ａの開口部の咬合具の設置位置に封鎖用ローラ５を有すればよい。
尚、この封鎖用ローラ５の回転速度は送り台部１０上のベルトコンベヤー１１と送り壁部２０のベルトコンベヤー２１の速度といずれも一致していることが望ましいものである。
これにより袋体Ａの封鎖に際しての送り速度が一致し、一定の速度で袋体Ａの送りと封鎖が行えるものとなる。
【００３２】
図９は、袋体Ａが送られた状態であって本考案に係る袋体の開口部の咬合具を封鎖する封鎖装置に送られる袋体Ａを置いた状態を上部から視認した図であり、図６及び図７に示す袋体Ａの送り状況から更に袋体Ａが送られている状態の一例を示す図である。
特に図８に示す送り状況を上部から視認した状態の図である。
【００３３】
本図に示す通り、袋体Ａは胴部用導通板３と上部用導通板４とによって送り壁部２０に沿って送られており、袋体Ａは胴部用導通板３と上部用導通板４の先に配置している封鎖用ローラ５に送られる段階の状態を示す図である。
送り台部１０のベルトコンベヤー１１の下に設けた傾斜台６によって送られる袋体Ａは送り壁部２０方向に斜めに傾いて傾斜して送られた上、胴部用導通板３と上部用導通板４とによって袋体Ａが徐々に送り壁部２０方向に移動するものである。
【００３４】
これによって送り壁部２０に添う位置迄移動した上でこの送り壁部２０の送り用のベルトコンベヤー２１を挟んで形成される一対のローラ５０により形成される封鎖用ローラ５に袋体Ａの上部が挟まれた状態で、送られるものとなる。
本図に示す状態で袋体Ａが更に送られると封鎖用ローラ５に袋体Ａが挟まれることとなり、この封鎖ローラ５の回転により更に袋体Ａは挟まれた状態で送られるものとなる。
この袋体Ａの封鎖用ローラ５による挟まれたままの送りにより袋体Ａの開口部の封鎖のための咬合具の凸状部と凹状部とを圧着することができ、両者を咬合して封鎖することができる。
【００３５】
図１０は、本考案に係る袋体の開口部の咬合具を封鎖する封鎖装置の一例であり、封鎖ローラ５によって袋体Ａの咬合具が封鎖された後に送り台部１０のベルトコンベヤー１１上を送られた封鎖された袋体Ａを送っている状態の一例を示す図である。
この様に送られた袋体Ａは封鎖されており、以後必要な工程に進めることができる。
例えば封鎖した袋の更なる箱詰め等の工程に進むことができる。
【００３６】
図１１は、図１０を上部から視認した状態を示す図である。
この様に内部に商品等を入れた開口した袋体Ａを順次送りこみ、順次この開口を封鎖できる。
従って大量の開口した袋体Ａを順次封鎖できることから人手をかけずに大量の袋体の封鎖を行えるものである。
【符号の説明】
【００３７】
１０    送り台部
１１    ベルトコンベヤー
２０    送り壁部
２１    ベルトコンベヤー
２２    ローラ
３      胴部用導通路
４      上部用導通路
５      封鎖用ローラ
５０    ローラ
６      傾斜台
Ａ      袋体
【図１】
0003227493.tif 000003
【図２】
0003227493.tif 000004
【図３】
0003227493.tif 000005
【図４】
0003227493.tif 000006
【図５】
0003227493.tif 000007
【図６】
0003227493.tif 000008
【図７】
0003227493.tif 000009
【図８】
0003227493.tif 000010
【図９】
0003227493.tif 000011
【図１０】
0003227493.tif 000012
【図１１】
0003227493.tif 000013